(57)【要約】      （修正有）【課題】名刺を差し出すことによって、名刺に記載された情報で話しの取っ掛りを創り出し、初対面であっても名刺交換後の話題づくりに役立つ出身地入り名刺を提供する。【解決手段】名刺本体１０の表面１ａに、名刺を使用する者の氏名が印刷された表示部２が設けられると共に、該名刺本体１０の表面１ａで、その名刺を使用する者の氏名が印刷された表示部２の右方若しくは下方の空きスペースを出身地表示部スペース３ａとするか、又は該名刺本体１０の裏面の空きスペースを出身地表示部スペース３ａとして、該出身地表示部スペースに名刺を使用する者の出身地が印刷された表示部３が設けられる。【選択図】図１
0003148100.tif 000002
【実用新案登録請求の範囲】
【請求項１】
名刺本体(１０)の表面(１ａ)に、名刺を使用する者の氏名の文字が印刷された表示部(２)が設けられると共に、該名刺本体(１０)の表面(１ａ)で、その名刺を使用する者の氏名の文字が印刷された表示部(２)の右方若しくは下方の空きスペースを出身地表示部スペース(３ａ)とするか、又は該名刺本体(１０)の裏面(１ｂ)の空きスペースを出身地表示部スペース(３ａ)として、該出身地表示部スペースに名刺を使用する者の出身地の文字が印刷された表示部(３)が設けられることを特徴とする出身地入り名刺。
【請求項２】
前記名刺本体(１０)の表面(１ａ)で、前記出身地表示部スペース(３ａ)の上方若しくは下方の空きスペースを県花表示部スペース(４ａ)とするか、又は前記名刺本体(１０)の裏面(１ｂ)で、前記出身地表示部スペース(３ａ)の上方若しくは下方の空きスペースを県花表示部スペース(４ａ)として、該県花表示部スペース(４ａ)に名刺を使用する者の出身地に係る県花の文字が印刷された表示部(４)がさらに設けられる請求項１記載の出身地入り名刺。
【請求項３】
前記出身地の文字が印刷された表示部(３)は、出身地として都道府県名のみの文字が印刷された表示部か、又は出身地として市町村名の文字が印刷された表示部である請求項１又は２記載の出身地入り名刺。
【請求項４】
前記名刺本体(１)の表面(１ａ)で、前記県花表示部スペース(４ａ)の上方若しくは下方の空きスペースを特産品表示部スペース(５ａ)若しくは名産品表示部スペース(６ａ)とするか、又は前記名刺本体(１)の裏面(１ｂ)で、前記県花表示部スペース(４ａ)の上方若しくは下方の空きスペースを特産品表示部スペース(５ａ)若しくは名産品表示部スペース(６ａ)として、該特産品表示部スペース(５ａ)に名刺を使用する者の出身地に係る特産品の文字が印刷された表示部(５)が設けられるか、又は該名産品表示部スペース(６ａ)にその出身地に係る名産品の文字が印刷された表示部(６)が設けられる請求項２又は３に記載の出身地入り名刺。
【考案の詳細な説明】
【技術分野】
【０００１】
本考案は初対面等の挨拶時に使用される出身地入り名刺に関する。
【背景技術】
【０００２】
日本の商慣習として、名刺は訪問や面会等で人に接する場合に頻繁に用いられている。名刺を差し出すことによって、名刺に記載された情報が相手方に伝えられる。ところが、従来の名刺は、一般に表面には企業名、部署、肩書き、氏名、電話番号、ファクシミリ番号等が印刷され、裏面には表側の翻訳英文が印刷されるか、支店や取扱品目が印刷されるにとどまっていた。
こうしたなか、新たな機能や情報を付加した名刺がいくつか提案されている（例えば特許文献１，２）。
【０００３】
【特許文献１】特開２００１−５８４８４号公報
【特許文献２】登録実用新案第３００４１１０号公報
【０００４】
特許文献１は「名刺本体の左上部に人物等の形状を形成する開口部を設けた名刺」とし、「開口の形成は、極めて斬新なものであり、相手方に好ましい印象を与える。しかも形状をその人の最も好みのものにすることができるので、個性的な自己表現が可能となり、その開口部が十二支であればその人の生まれ年が表現でき、音符やゴルフクラブであればその人の趣味や職業が自然に表現できる」効果が得られるとする。
また特許文献２は「名刺用用紙における表面あるいは裏面の所望する箇所に、データ表示部を設け、このデータ表示部は、平面方形の外側枠線で構成された表示枠と、この表示枠内に設けられた誕生日枠、血液型表示欄、星座表示欄、運勢表示欄、十二支表示欄、統制個別番号表示欄などから構成されると共に、表示枠における外側枠線は、個人所得の一定範囲を表示する金色あるいは銀色あるいは銅色などで色分けされていることを特徴とする名刺」とし、「１．自分の年齢を相手に知らせることができる。２．自分の性格判断に関する事項を相手に知らせることによって、相手との共通点を見出すことができる。」等の効果が得られるとする。
【考案の開示】
【考案が解決しようとする課題】
【０００５】
しかるに、特許文献１は、開口部の形成によって名刺使用者の生まれ年を表現したり趣味を表現したりするにとどまっていた。また特許文献２は名刺使用者の個別具体的な子細事項でありすぎた。
これまで、訪問や面会等で人に接する初対面の場合、名刺交換しても、話しの糸口がなかなか見出せず、話しの取っ掛りが難しいとされてきた。そして、特許文献１,２を含め、従来の名刺には、相手と共通の話題性がある出身地が記載されたものが存在しなかった。
【０００６】
本考案は上記問題点を解決するもので、名刺を差し出すことによって、名刺に記載された情報で話しの取っ掛りを創り出し、初対面であっても名刺交換後の話題づくりに役立つ出身地入り名刺を提供することを目的とする。
【課題を解決するための手段】
【０００７】
上記目的を達成すべく、請求項１に記載の考案の要旨は、名刺本体(１０)の表面(１ａ)に、名刺を使用する者の氏名の文字が印刷された表示部(２)が設けられると共に、該名刺本体(１０)の表面(１ａ)で、その名刺を使用する者の氏名の文字が印刷された表示部(２)の右方若しくは下方の空きスペースを出身地表示部スペース(３ａ)とするか、又は該名刺本体(１０)の裏面(１ｂ)の空きスペースを出身地表示部スペース(３ａ)として、該出身地表示部スペースに名刺を使用する者の出身地の文字が印刷された表示部(３)が設けられることを特徴とする出身地入り名刺にある。ここで、「空きスペース」とは印刷された文字の表示部が存在しない余白部分をいう。
請求項２の考案たる出身地入り名刺は、請求項１で、前記名刺本体(１０)の表面(１ａ)で、前記出身地表示部スペース(３ａ)の上方若しくは下方の空きスペースを県花表示部スペース(４ａ)とするか、又は前記名刺本体(１０)の裏面(１ｂ)で、前記出身地表示部スペース(３ａ)の上方若しくは下方の空きスペースを県花表示部スペース(４ａ)として、該県花表示部スペース(４ａ)に名刺を使用する者の出身地に係る県花の文字が印刷された表示部(４)がさらに設けられることを特徴とする。ここでいう「県花」には県花のみならず市花「市の花」も含むものとする。
請求項３の考案たる出身地入り名刺は、請求項１又は２で、出身地の文字が印刷された表示部(３)は、出身地として都道府県名のみの文字が印刷された表示部か、又は出身地として市町村名の文字が印刷された表示部であることを特徴とする。請求項４の考案たる出身地入り名刺は、請求項２又は３で、名刺本体(１)の表面(１ａ)で、前記県花表示部スペース(４ａ)の上方若しくは下方の空きスペースを特産品表示部スペース(５ａ)若しくは名産品表示部スペース(６ａ)とするか、又は前記名刺本体(１)の裏面(１ｂ)で、前記県花表示部スペース(４ａ)の上方若しくは下方の空きスペースを特産品表示部スペース(５ａ)若しくは名産品表示部スペース(６ａ)として、該特産品表示部スペース(５ａ)に名刺を使用する者の出身地に係る特産品の文字が印刷された表示部(５)が設けられるか、又は該名産品表示部スペース(６ａ)にその出身地に係る名産品の文字が印刷された表示部(６)が設けられることを特徴とする。
【考案の効果】
【０００８】
本考案の出身地入り名刺は、初対面であっても名刺交換後の話題づくりに役立ち、名刺を差し出すことによって、名刺に記載された出身地や県花などの情報で話しの取っ掛りを創り出し、且つ相手へ効果的に印象づけて、商談等の話しが円滑に進むばかりか、次回の出会いに結びつく好結果をもたらすなど極めて有益である。
【考案を実施するための最良の形態】
【０００９】
以下、本考案に係る出身地入り名刺について詳述する。
（１）実施形態１
図１〜図７は本考案の出身地入り名刺の一形態で、図１はその表側平面図、図２は図１と別態様の出身地入り名刺の平面図、図３は図１,図２とは別態様の出身地入り名刺の平面図、図４,図５は図１〜図３とは別態様の出身地入り名刺の平面図、図６は図１〜図５とはまた別態様の出身地入り名刺の裏面図、図７は図６の氏名印刷表示部を削除した他態様の出身地入り名刺の裏面図である。
【００１０】
出身地入り名刺１は、名刺本体１０と、該名刺本体の表面１ａに名刺を使用する者の氏名の文字が印刷された表示部２と、該名刺本体の表面１ａ又は裏面１ｂに名刺を使用する者の出身地の文字が印刷された表示部３と、名刺本体１０の表面１ａ又は裏面１ｂに名刺を使用する者の出身地に係る県花の文字が印刷された表示部４と、を備える(図１)。
【００１１】
名刺本体１０は、出身地入り名刺１の台紙であり、ここに使用者の氏名や住所,職業,身分などが印刷される。名刺本体１０は、名刺交換用に用いる小形サイズ(例えば５５mm×９０mmの大きさ)とし、紙等を用いたシート状体である。ここでいう名刺本体１０の台紙には紙だけでなく、木材や合成樹脂など材質でシート状にしたものを含む。
【００１２】
名刺を使用する者の氏名の文字が印刷された表示部２(以下、単に「氏名印刷表示部」という)は、名刺本体１０の表面１ａで、名刺を使用する主体の氏名が印刷表示された部分である。氏名印刷表示部２は、横書き印刷の場合、一般的に名刺本体１０のほぼ中段の中央部に横長の氏名印刷表示部スペース２ａが確保され、該スペース内に設けられる。図１では、名刺本体１０の中央部よりもやや左よりの位置に氏名印刷表示部スペース２ａを確保し、該スペース内に名刺使用者の氏名、例えば「特許太郎」の文字を印刷して氏名印刷表示部２とする。縦書き印刷の場合は、一般的に名刺本体１０のほぼ中央部に縦長の氏名印刷表示部スペース２ａが確保され、ここに名刺使用者の氏名が印刷された氏名印刷表示部２を設けるが、図示を省略する。
【００１３】
名刺を使用する者の出身地の文字が印刷された表示部３(以下、単に「出身地印刷表示部」という)は、名刺本体１０の表面１ａ又は裏面１ｂで、名刺を使用する人物の出身地が印刷表示された部分である。名刺使用者の出身地を印刷表示することによって、名刺交換後の話しの取っ掛かりができる。
名刺本体１０の表面１ａで、その名刺を使用する者の氏名の文字が印刷された表示部２の右方(図１)又は下方(図８参照)の空きスペースを出身地表示部スペース３ａとして、該出身地表示部スペースに名刺を使用する者の出身地印刷表示部３が設けられる。或いは、該出身地印刷表示部に代えて、該名刺本体１０の裏面１ｂの空きスペースを出身地表示部スペース３ａとして、該出身地表示部スペースに名刺を使用する者の出身地印刷表示部３が設けられる(図６)。
出身地印刷表示部３は、名刺本体１０の裏面１ｂでもよいが、図１は名刺本体１０の表面１ａに設ける。既述のごとく、氏名印刷表示部スペース２ａを若干左側へ寄せており、その右側に空きスペースができる。該空きスペースを利用して出身地印刷表示部スペース３ａを確保し、該スペースに出身地印刷表示部３を設ける。図１の出身地入り名刺１は、該スペースに名刺使用者、例えば特許太郎の例えば「（出身地：三重県）」の文字を印刷して出身地印刷表示部３とする。
【００１４】
ここで、出身地印刷表示部３は、図１のごとく出身地として都道府県名のみの文字が印刷された表示部とすることができる。また、出身地として市町村名の文字が印刷された表示部とすることもできる。名刺は県外で用いられる比率が高い場合と、県内で用いられる比率が高い場合があるからである。県外で用いられる比率が高い場合は、名刺使用者に係る出身地の県名を印刷した表示部とする。
一方、県内で用いられる比率が高い場合は、名刺使用者に係る出身地の市町村名を印刷した表示部とする。そうすると、名刺交換時の対面者が市町村出身地に関心を寄せることになるので、その名刺を県内で使用しても、名刺交換時の話題作りに役立つ。
【００１５】
図２,図３は図１と異なる他態様の本考案者用出身地入り名刺１である。図２の出身地入り名刺１は、出身地印刷表示部３に「（出身地：三重県いなべ市）」の文字を印刷し、出身地として県名と共に市町村名の文字が印刷された表示部とする。また、図３の出身地入り名刺１は、「（出身地：いなべ市北勢町）」の文字を印刷し、出身地として県名を省き、市町村名の文字が印刷された表示部とする。図２の場合は県名と市町村の名前が入っており、県内外で併用できより好ましくなる。
【００１６】
名刺を使用する者の出身地に係る県花の文字が印刷された表示部４(以下、単に「県花印刷表示部」という)は、名刺本体１０の表面１ａ又は裏面１ｂで、名刺使用者の出身地の県が指定する県花を印刷した表示部分である。我が国は都道府県ごとに県花が指定されている。その県花を印刷した出身地入り名刺１とする。県花に代えて市の花を使用することもできる。本発明でいう「県花」には市の花たる市花も含むものとする。名刺本体１０の表面１ａで、前記出身地表示部スペース３ａの上方若しくは下方の空きスペースを県花表示部スペース４ａとするか、又は前記名刺本体１０の裏面１ｂで、前記出身地表示部スペース３ａの上方若しくは下方の空きスペースを県花表示部スペース４ａとして、該県花表示部スペース４ａに名刺を使用する者の県花印刷表示部４が設けられる。該空きスペースは、印刷された文字の表示部が存在しない場所で、ここでは出身地印刷表示部３のみならず氏名印刷表示部２の文字から外れた空白部分をいう。名刺本体１０の表面１ａの表面１ａに県花印刷表示部が設けられる場合、氏名印刷表示部２の右方又は下方の空きスペースを出身地表示部スペース３ａとし、該スペースに出身地印刷表示部が設けられる。そして、出身地表示部スペース３ａの上方又は下方の空きスペースを県花表示部スペース４ａにし、該スペースに県花印刷表示部４が設けられる。
名刺使用者、例えば特許太郎の例えば「（出身地：三重県）」の文字を印刷した出身地印刷表示部３の下方に、図１のごとく県花印刷表示部スペース４ａを設ける。該スペースに三重県の県花である「県花  ハナショウブ」と印刷し、出身地入り名刺１に県花印刷表示部４を加える。出身地入り名刺１に県花が印刷表示されるので、名刺を受け取った相手が県花に関心を寄せれば、それについて説明することで話しのきっかけが生まれる。
【００１７】
その他、出身地入り名刺１には、一般の名刺と同様、名刺使用者の氏名印刷表示部２の他、その使用者の職業、身分などが印刷表示される。
符号７１ａは、一般の名刺に設けられる法人表示部又は個人事業主の屋号等の組織表示部スペースで、ここに名刺使用者の職業名又は職業に関係する組織名の文字が印刷された表示部７１(以下、単に「組織印刷表示部」という)を設ける。法人には、国・地方公共団体等の公法人や、社団法人等の公益法人、共同組合等の中間法人、株式会社等の営利法人を包括する私法人がある。図１の出身地入り名刺１の使用者たる例えば特許太郎が勤務する営利法人の□□□□株式会社を印刷表示する。
符号７２ａは組織印刷表示部スペース７１ａの下方に設けたセクション表示部スペースを示す。図１は該スペースに、組織印刷表示部７１に記載された組織のなかで、例えば特許太郎が所属するセクションを「××××」と印刷表示して、セクション表示部７２とする。符号７３ａはセクション表示部スペース７２ａの下方に設けた肩書表示部スペースを示す。図１は該スペースに、名刺使用者のセクションでの身分や各種国家資格等の肩書を「×××」と印刷表示して肩書表示部７２とする。
【００１８】
符号７４ａは名刺の下半部に設けた住所表示部スペースで、該スペースに組織印刷表示部７１で記載した組織の住所を印刷表示して住所表示部７４とする。符号７５ａは電話番号表示部スペース、符号７６ａはＦＡＸ番号表示部スペース、符号７７ａはメールアドレス表示部スペース、符号７８ａは組織印刷表示部７１で記載した組織のホームページアドレス表示部スペースである。各スペースに、電話番号、ＦＡＸ番号、メールアドレス、ホームページアドレスを印刷表示して、電話番号表示部７５、ＦＡＸ番号表示部７６、メールアドレス表示部７７、ホームページアドレス表示部７８とする。
【００１９】
さらに、前記出身地,県花以外に、初対面同士の話題づくりに有効な手段として特産品と名産品がある。広辞苑では、特産とは、『特にその地に産すること。また、その産物。例として「日本−のわさび」「−物」』と記し、名産とは、『その土地の有名な産物。めいぶつ。「越後の−」』と記す。近年、日本各地の特産品,名産品を販売する物産展等が賑わいをみせ、人々の関心も高くなっている。
【００２０】
名刺本体１の表面１ａで、前記県花表示部スペース４ａの上方若しくは下方の空きスペースを特産品表示部スペース５ａとするか、又は前記名刺本体１の裏面１ｂで、前記県花表示部スペース４ａの上方若しくは下方の空きスペースを特産品表示部スペース５ａとして、該特産品表示部スペース５ａに名刺を使用する者の出身地に係る特産品の文字が印刷された表示部５(以下、単に「特産品印刷表示部」という)が設けられるとさらに好ましい。或いは、名刺本体１の表面１ａで、前記県花表示部スペース４ａの上方若しくは下方の空きスペースを名産品表示部スペース６ａとするか、又は前記名刺本体１の裏面１ｂで、前記県花表示部スペース４ａの上方若しくは下方の空きスペースを名産品表示部スペース６ａとして、該名産品表示部スペース６ａにその出身地に係る名産品の文字が印刷された表示部６(以下、単に「名産品印刷表示部」という)が設けられるとさらに好ましい。ここで、「特産品表示部スペース５ａ」は、名刺本体の表面又は裏面で、氏名表示部スペース２ａ，出身地表示部スペース３ａ，県花表示部スペース４ａに重複しない空白部分に設けられる。「名産品表示部スペース６ａ」も同様で、名刺本体の表面又は裏面で、氏名表示部スペース２ａ，出身地表示部スペース３ａ，県花表示部スペース４ａに重ならない空白部分に設けられる。名刺本体１０の表面１ａの表面１ａに特産品印刷表示部５又は名産品印刷表示部６が設けられる場合、氏名印刷表示部２の右方又は下方の空きスペースに出身地表示部スペース３ａとし、該スペースに出身地印刷表示部が設けられると共に、該出身地表示部スペース３ａの上方又は下方の空きスペースを県花表示部スペース４ａにし、該スペースに県花印刷表示部４が設けられる。さらに該県花表示部スペースの上方又は下方の空きスペースを特産品表示部スペース５ａ又は名産品表示部スペース６ａにし、該スペースに特産品印刷表示部５又は名産品印刷表示部６が設けられる。
図４は、図２の出身地入り名刺１に特産品印刷表示部スペース５ａを設けた出身地入り名刺１で、図１〜図３とはまた違った別態様品である。図４では、県花印刷表示部４の下方に特産品印刷表示部スペース５ａをさらに確保し、該スペースに特産品印刷表示部５を追加する。特産品印刷表示部５には、出身地印刷表示部３に印刷された出身地の特産品が印刷表示される。例えば、図４の出身地入り名刺１は、出身地が三重県いなべ市とあることから、いなべ市の特産品たる「いなべそば」が印刷表示される。
【００２１】
また、図５は、名刺使用者の出身地と共に、県花印刷表示部４と名産品印刷表示部６を設けた出身地入り名刺１を示す。名産品印刷表示部６は出身地印刷表示部３の下方で、且つ県花印刷表示部４の下方に、名産品印刷表示部スペース６ａを確保し、該スペースに名産品が印刷表示される。図５は本出願人の出身地を便宜的に三重県桑名市としたケースで、該桑名市の名産品たる「時雨蛤」を名産品印刷表示部６の名産品として印刷表示する。
【００２２】
図６は、図１〜図５と違って、名刺使用者の出身地印刷表示部３と該出身地の県花印刷表示部４と該出身地の特産品印刷表示部５とを出身地入り名刺１の裏面１ｂに設けた別態様品である。
図６の出身地入り名刺１は、名刺使用者、例えば「特許太郎」の出身地印刷表示部３の出身地として、例えば三重県を印刷表示するが、三重県の特産品は同図に記載するように「伊勢うどん(登録商標)、ひのな漬、…」など多数ある。そのため、名刺本体１０の表面１ａに印刷表示できない。名刺本体１０の表面１ａに特産品印刷表示部５等を印刷表示できない場合や、名刺本体１０の表面１ａに印刷表示するのが配列,バランス的に支障をきたす場合は、それらを名刺本体１０の裏面１ｂに印刷表示するのが好ましい。図６は名刺本体１０の裏面１ｂに、特産品印刷表示部スペース５ａを設け、ここに「伊勢うどん(登録商標)、ひのな漬」などを印刷表示した特産品印刷表示部５を設ける。さらに、出身地印刷表示部３、県花印刷表示部４をも設ける。これらを裏面１ｂに移すことで、出身地入り名刺１であっても、その表面１ａは一般的な名刺と変わらぬレイアウトにすることができる。
加えて、図６では氏名印刷表示部２を出身地入り名刺１の裏面１ｂにも設ける。但し、出身地入り名刺１の表面１ａには氏名印刷表示部２が設けられており、裏面１ｂに設けなくてもよい。図７はその氏名印刷表示部２を省く。図６は、名刺本体１０の裏面１ｂに、名刺使用者が直接関係する出身地印刷表示部３、県花印刷表示部４、特産品印刷表示部５が表示印刷されており、これらと共に氏名印刷表示部２を設けて印象強くする。
【００２３】
尚、図１〜図７で鎖線図示する氏名印刷表示部スペース２ａ、出身地印刷表示部スペース３ａ、県花印刷表示部スペース４ａ、特産品印刷表示部スペース５ａ、名産品印刷表示部スペース６ａ、組織印刷表示部スペース、セクション表示部スペース、肩書表示部スペース、住所表示部スペース、電話番号表示部スペース、ＦＡＸ表示部スペース、メールアドレス表示部スペース、ホームページアドレス表示部スペースの鎖線は、そのスペース領域を便宜的に表示したもので、各鎖線が名刺本体１０に印刷表示されるものではない。
【００２４】
（２）実施形態２
本実施形態は、図８のごとく名刺本体１０の表面１ａに、名刺を使用する者の氏名印刷表示部２が設けられると共に、該名刺本体１０の表面１ａで、その氏名印刷表示部２の下方の空きスペースを出身地表示部スペース３ａとして、該出身地表示部スペースに名刺を使用する者の出身地印刷表示部３が設けられた出身地入り名刺である。
図８の出身地入り名刺には、名刺本体１０の表面１ａで、出身地表示部スペース３ａの右側下方の空きスペースを県花表示部スペース４ａとして、該県花表示部スペース４ａに名刺を使用する者の出身地に係る県花印刷表示部４が設けられている。さらに、名刺本体１の表面１ａで、県花表示部スペース４ａの下方の空きスペースを特産品表示部スペース５ａとして、該特産品表示部スペース５ａに名刺を使用する者の出身地に係る特産品印刷表示部５が設けられている。
尚、図８の出身地入り名刺は、図示のごとく組織印刷表示部７１を氏名印刷表示部２の下方位置に設けて、レイアウトを図１〜図５のものと多少変更する。符号ＭＳは図形マーク表示部スペースで、ここに組織印刷表示部に記載された組織の社章等の図形マークが印刷表示される。他の構成は実施形態１と同様で、その説明を省く。実施形態１と同一符号は同一又は相当部分を示す。
【００２５】
（３）実施形態３
本実施形態は、図９のごとく図８の横形出身地入り名刺を縦形にアレンジした縦形出身地入り名刺になっている。ここでは、縦書き印刷した名刺本体１０の表面１ａに、名刺を使用する者の氏名印刷表示部２が設けられると共に、該名刺本体１０の表面１ａで、その氏名印刷表示部２の下方の空きスペースを出身地表示部スペース３ａとして、該出身地表示部スペースに名刺を使用する者の出身地印刷表示部３が設けられる。そして、該出身地表示部スペース３ａの下方の空きスペースを県花表示部スペース４ａとして、該県花表示部スペース４ａに名刺を使用する者の出身地に係る県花印刷表示部４が設けられる。さらに、該県花表示部スペース４ａの下方の空きスペースを特産品表示部スペース５ａとして、該特産品表示部スペース５ａに名刺を使用する者の出身地に係る特産品印刷表示部５が設けられる。
他の構成は実施形態１、２と同様で、その説明を省く。実施形態１、２と同一符号は同一又は相当部分を示す。
【００２６】
このように構成した出身地入り名刺１は、名刺本体１０の表面１ａに名刺使用者の氏名印刷表示部２が設けられると共に、名刺本体１０の表面１ａ又は裏面１ｂに名刺使用者の出身地印刷表示部３が設けられるので、初対面の名刺交換時の話題づくりの糸口ができる。同郷であれば、親近感が沸き、商談等の話しが円滑に進む。また出身地が違っても、その出身地に関心が向く。出身地は誰にでもあり、また郷土は誇りでもある。相手と共通の話題性のある出身地が名刺に印刷表示されることで、初対面であっても話しの取っ掛かりができる。その後の本題の話しがスムーズになり、出身地入り名刺１に係る出身地表示が営業活動の有力手段として多大な効を奏する。出身地という共通の話題、テーマがあれば、(1)親近感を得やすい、(2)話題に発展性が生じる、(3)名刺交換を通じ、営業力向上へとつながる等の優れた効果を発揮する。営業分野においては、名刺交換により相手への印象づけが重要で、特に初回の名刺交換時が大切とされる。上記種々の効果が、次回の出会いに結びつく好結果をもたらす。
【００２７】
また、出身地の文字が印刷された表示部２について、出身地として都道府県名のみの文字が印刷された表示部か、又は出身地として市町村名の文字が印刷された表示部であると、名刺使用者が県内使用と県外使用で使い分けし、それぞれの使用地域に合わせて最大限の効果を上げることができる。営業活動範囲等が県内外にわたる場合は、出身地として、都道府県名のみの文字が印刷された表示部と市町村名の文字が印刷された表示部の二種類の出身地入り名刺を揃えれば、相乗効果を発揮する。
【００２８】
さらに、名刺本体１０の表面１ａ又は裏面１ｂに、名刺を使用する者の出身地に係る県花の文字が印刷された表示部が設けられると、共通の話題、テーマがより一層広がる。県花の由来等に話しが及べば一段と盛り上がる。人は誰でも花を愛でる。人は誰もが花を飾り、花を眺め楽しむ。出身地入り名刺１の県花印刷表示部４に県花が表示されれば、名刺使用者の氏名とリンクさせて県花の効果的なイメージを相手側に印象づけできる。初対面の名刺交換時でも、名刺に記載された県花印刷表示部４が話題提供源になり、話しの取っ掛かりを創り出し、且つ相手に名刺差出人(名刺使用者)をアピールし印象づける効果を発揮する。
【００２９】
加えて、名刺本体１０の表面１ａ又は裏面１ｂに、名刺を使用する者の出身地に係る特産品の文字が印刷された表示部又はその出身地に係る名産品の文字が印刷された表示部が設けられると、特産品,名産品の大半が選び抜かれたおいしい食べ物であるので、初対面の名刺交換時などの堅苦しい雰囲気を和らげ、話しのきっかけを提供できる。また、特産品印刷表示部５や名産品印刷表示部６に印刷された特産品や名産品の数々は、県花印刷表示部４に記載された県花とともに、話題づくりに役立つだけでなく、物知り知識の情報提供にもなる。名刺使用者の出身地や県花、さらに出身地の特産品や名産品を印刷表示した名刺は珍しく、注目を集め、好印象を与える。本出身地入り名刺１をもらった相手が好感を寄せ、ビジネスにプラス作用を及ぼす。
かくのごとく、本出身地入り名刺１は、上述した数々の効果を発揮し極めて有用且つ有益なものとなる。
【００３０】
尚、本考案においては、前記実施形態,実施例に示すものに限られず、目的,用途に応じて本考案の範囲で種々変更できる。名刺本体１０,氏名印刷表示部２,出身地印刷表示部３,県花印刷表示部４,特産品印刷表示部５,名産品印刷表示部６,組織印刷表示部７１,セクション表示部７２,肩書表示部７３,住所表示部７４,電話番号表示部７５等の形状,大きさ,レイアウト等は用途等に合わせて適宜選択できる。例えば、図１〜図８の各実施例は、名刺本体１０に氏名印刷表示部２,出身地印刷表示部３等の氏名等を横書きした横書きスタイルの出身地入り名刺１とするが、氏名等を縦書きした図９ごとくの縦書きスタイルの出身地入り名刺１にも勿論適用できる。
【図面の簡単な説明】
【００３１】
【図１】実施形態１の出身地入り名刺で、その表側平面図である。
【図２】図１と別態様の出身地入り名刺の平面図である。
【図３】図１,図２とは別態様の出身地入り名刺の平面図である。
【図４】図１〜図３とは別態様の出身地入り名刺の平面図である。
【図５】図１〜図４とは別態様の出身地入り名刺の平面図である。
【図６】図１〜図５とはまた別態様の出身地入り名刺の裏面図である。
【図７】図６の氏名印刷表示部を削除した他態様の出身地入り名刺の裏面図である。
【図８】実施形態２の出身地入り名刺で、その表側平面図である。
【図９】実施形態３の出身地入り名刺で、その表側平面図である。
【符号の説明】
【００３２】
１      出身地入り名刺
１ａ    表面
１ｂ    裏面
２      氏名の文字が印刷された表示部（氏名印刷表示部）
３      出身地の文字が印刷された表示部（出身地印刷表示部）
４      出身地に係る県花の文字が印刷された表示部（県花印刷表示部）
５      出身地に係る特産品の文字が印刷された表示部（特産品印刷表示部）
６      出身地に係る名産品の文字が印刷された表示部（名産品印刷表示部）
【図１】
0003148100.tif 000003
【図２】
0003148100.tif 000004
【図３】
0003148100.tif 000005
【図４】
0003148100.tif 000006
【図５】
0003148100.tif 000007
【図６】
0003148100.tif 000008
【図７】
0003148100.tif 000009
【図８】
0003148100.tif 000010
【図９】
0003148100.tif 000011